(57)【要約】【目的】本発明は会社事務所等に設置して使用する金庫の盗難を防止し、経済的な損失をなくするための脚付き耐火金庫の盗難防止装置に関する発明である。【構成】本発明は、コンクリート床と前記コンクリート床上に保護カラーを有する固定ボルトとボルトインアンカーにより脚付き耐火金庫を設置し、前記コンクリート床と脚付き耐火金庫間の隙間に隙間カバー基部と隙間カバー蓋部とからなる隙間カバーを固定ボルト及びネジにより取り付け、脚付き耐火金庫の盗難を防止するようにしたことを特徴とする脚付き耐火金庫の盗難防止装置盗難防止装置の構成とした。【選択図】  図１
2004190250.tif 000002
【特許請求の範囲】
【請求項１】
コンクリート床と前記コンクリート床上に保護カラーを有する固定ボルトとボルトインアンカーにより脚付き耐火金庫を設置し、前記コンクリート床と脚付き耐火金庫間の隙間に隙間カバー基部と隙間カバー蓋部とからなる隙間カバーを固定ボルト及びネジにより取り付け、脚付き耐火金庫の盗難を防止するようにしたことを特徴とする脚付き耐火金庫の盗難防止装置盗難防止装置。
【請求項２】
ぶらくりボルトにより木造床上に脚付き耐火金庫を設置したことを特徴とする請求項１に記載の脚付き耐火金庫の盗難防止装置。
【請求項３】
ボルト、スプリングワッシャー、平ワッシャー、固定ボルト及びボルトインアンカーによりコンクリート床上に脚付き耐火金庫を設置したことを特徴とする請求項１に記載の脚付き耐火金庫の盗難防止装置。
【発明の詳細な説明】
【０００１】
【発明の属する技術分野】
本発明は会社事務所等に設置して使用する金庫の盗難を防止し、経済的な損失をなくするための脚付き耐火金庫の盗難防止装置に関する発明である。
【０００２】
【従来の技術】
耐火金庫の本来の目的としては、火災等の発生時に金庫内部に書類、紙幣、貴金属等を保管し、火災時にその内容物を燃焼から守ること、本体重量を重くして簡単に移動できないようにすること、施錠方法をダイヤル式と鍵の併用にして安全を守ること等が挙げられる。
【０００３】
また、盗難防止のためには開錠方法を複雑にする等の対処をしてきたが、近年は窃盗方法がエスカレートして、工具等で強制的に金庫をこじ開け内容物を窃盗することが増加したために、最近では各金庫を設置している会社事務所等は警備会社と警備契約を結び、赤外線センサー使用による侵入警報装置を稼働させることで、何者かが侵入した場合には電話回線を利用して警備会社に通報されるシステムが用いられている。
【０００４】
警備会社は警備契約を結んだ会社事務所等に窃盗を目的とした侵入者が判明したら、管轄の警察署に連絡し、警備会社の巡回車と警察のパトロールカーが急行するシステムを用いているため、窃盗目的の侵入者は工具等を使用し強制的に金庫をこじ開けている時間はない。
【０００５】
【発明が解決しようとする課題】
しかしながら、窃盗目的の侵入者は、警備会社及び警察が駆けつける前の短時間に目的を達成するために数人の人員にて金庫をそのまま持ち去るという事件が多発している。
【０００６】
また、固定ボルトにより固定されている脚付き金庫の場合も、金庫本体と床面との隙間よりワイヤーカッター、金鋸等を使用し固定ボルトを切断して金庫本体ごと短時間に窃盗し、開錠は別の場所にて行うという凶悪な犯罪が多発している。
【０００７】
そこで、本発明は、会社事務所等の建物内に設置してある金庫を侵入者のセンサーによる侵入通報を受け急行する警備会社或いは警察車両の現場到着までの短時間に、容易に室外に移動することができない、窃盗を未然に防止するための脚付き耐火金庫の盗難防止装置を提供することを目的とするものである。
【０００８】
【課題を解決するための手段】
本発明は、上記の課題を解決するために、コンクリート床と前記コンクリート床上に保護カラーを有する固定ボルトとボルトインアンカーにより脚付き耐火金庫を設置し、前記コンクリート床と脚付き耐火金庫間の隙間に隙間カバー基部と隙間カバー蓋部とからなる隙間カバーを固定ボルト及びネジにより取り付け、脚付き耐火金庫の盗難を防止するようにしたことを特徴とする脚付き耐火金庫の盗難防止装置盗難防止装置の構成とした。
【０００９】
【実施例】
以下に、添付図面に基づいて、本発明である脚付き耐火金庫の盗難防止装置を詳細に説明する。図１から図１９までは、本発明である脚付き耐火金庫の盗難防止装置の第１実施例を、図２０から図２６までは本発明である脚付き耐火金庫の盗難防止装置の第２実施例を、図２７から図３０までは本発明である脚付き耐火金庫の盗難防止装置の第３実施例を示す。
【００１０】
図１から図５は、本発明である脚付き耐火金庫の盗難防止装置の全体を示した図である。図１は本発明である脚付き耐火金庫の盗難防止装置の正面図、図２は本発明である脚付き耐火金庫の盗難防止装置の左側面図、図３は本発明である脚付き耐火金庫の盗難防止装置の右側面図、図４は本発明である脚付き耐火金庫の盗難防止装置の背面図、図５は図２中に示したＡ−Ａ線に沿った縦断面図である。
【００１１】
図１から図４に示すように、本発明である脚付き耐火金庫の盗難防止装置１は、脚付き耐火金庫２と隙間カバー４とから構成されている。耐火金庫２は市販されているダイヤル式の金庫であり、枠体２ａ及び左右側板２ｃ、２ｄは火災、衝撃等でも破壊されることのない堅牢な素材でできている。扉２ｂに取り付けられた施錠板３には、開錠のためのダイヤル３ａ、３ｂが取り付けられている。
【００１２】
図１から図４の各図に示されているように、脚付き耐火金庫２の下部には隙間カバー４が取り付けられているため、脚付き耐火金庫２のキャスター付脚２ｇ、２ｇ、２ｇ、２ｇは外側からは見えない。
【００１３】
図５は、本発明である脚付き耐火金庫の盗難防止装置の図３中に示したＡ−Ａ線に沿った縦断面図である。図５に示すように、脚付き耐火金庫２は、ボルトインアンカー１０とボルト９によりコンクリート床７に固定され、脚付き耐火金庫２の脚２ｇが存在することにより生じる脚付き耐火金庫２の下部とコンクリート床７の間に生じる隙間２ｉを隠すために隙間カバー４が取り付けられている。
【００１４】
図６は本発明である脚付き耐火金庫の盗難防止方法の脚付き耐火金庫２の下部を示す斜視図、図７は本発明である脚付き耐火金庫のコンクリート床への固定方法を示す斜視図、図８は固定部分の拡大断面図である。
【００１５】
図６に示すように、本発明では市販の脚付き耐火金庫２の内部の底面２ｆにドリル等を使用して４個所のボルト挿通孔２ｈ、２ｈ、２ｈ、２ｈを設け、前記４個所のボルト挿通孔２ｈと同じ間隔でコンクリート床７にもコンクリート用のドリル等を使用して、コンクリート床７に４箇所に穴を開け、下部が拡開する構造のボルトインアンカー１０、１０、１０、１０を設置する。
【００１６】
脚付き耐火金庫２をコンクリート床７に固定する固定方法は、図７及び図８に示すように、脚付き耐火金庫２の底板２ｆに設けられたボルト挿通孔２ｈにボルト９を挿入する。
【００１７】
そして、ボルト９に底板２ｆとコンクリート床７の間に生じる長さよりもやや短い長さの円筒状の保護カラー９ｃを通し、ボルト９の底板２ｆの厚さ部分に耐火ボンド１１を塗布し、コンクリート床７内に設置されたボルトインアンカー１０、１０、１０、１０により、ボルト９を締め付け固定する。
【００１８】
同様にして、脚付き耐火金庫２の底板２ｆに設けられた４個所のボルト挿通孔２ｈ、２ｈ、２ｈ、２ｈの全てにボルト９を挿入して、ボルト９、９、９、９に保護カラー９ｃ、９ｃ、９ｃ、９ｃを通し、ボルト９の底板２ｆの厚さ部分に耐火ボンド１１を塗布して、コンクリート床７内に設置されたボルトインアンカー１０、１０、１０、１０により、ボルト９、９、９、９を締め付けることで、脚付き耐火金庫２がコンクリート床７上に固定される。
【００１９】
ここで、ボルト９に円筒状の保護カラー９ｃを通すのは、盗難防止の効果をより向上させるためである。即ち、保護カラー９ｃは内部にボルトが挿通されているので、外圧を加えても保護カラー９ｃと固定ボルト９のネジ山９ｄは螺合していないので保護カラー９ｃそのものが回転してしまい、ワイヤーカッターや金鋸による切断は容易にできない。
【００２０】
よって、ワイヤーカッターや金鋸によってボルト９、９、９、９が切断され、コンクリート床７上に強固に固定されている脚付き耐火金庫２がコンクリート床７から外されることを防ぐことができる。
【００２１】
脚付き耐火金庫２の底板２ｆの厚み分の耐火ボンドをボルト９に塗布するのは、火災時等に底板２ｆに設けたボルト挿通孔２ｈの僅かな隙間２ｉから脚付き耐火金庫２内部に炎が侵入するのを防ぐためである。ここで使用する耐火ボンドは建築基準法施工例令１２９条の２の５第１項第７号ハ「防火区画６０分遮炎性能」の規定に適合品を使用する。
【００２２】
図９は、本発明である脚付き耐火金庫の盗難防止装置の隙間カバーの斜視図である。隙間カバー４は、脚付き耐火金庫２の底板２ｆの底面とコンクリート床７の間にできる隙間２ｉを隠すためのカバーである。
【００２３】
図９に示すように、隙間カバー４は、略コ字状の形状をした隙間カバー基部５と、隙間カバー５よりも横方向に短い略コ字状の形状をした隙間カバー蓋部６が平ワッシャー１２ａを介在させてネジ１２により接続されている。
【００２４】
図１０及び図１１は、隙間カバー４の構成部材である隙間カバー基部５を示す図である。図１０は隙間カバー基部の斜視図、図１１は隙間カバー基部の右側面図を示す。
【００２５】
図１０及び図１１に示すように、隙間カバー基部５は、溝形鋼が溶接され、右方が空いた状態の略コ字状の形状である。左側部５ｂに前延長部５ａ及び後延長部５ｃが平行に連設され、前後延長部５ａ、５ｃは、左側部５ｂよりも長い。前後延長部５ａ、５ｃ及び左側部５ｂの縦断面形状はコ字状である。
【００２６】
そして、左側部５ｂ、前延長部５ａ及び後延長部５ｃには内方にしかも水平に突出する下板５ｅ及び上板５ｄが設けられている。下板５ｅには、５個所のボルト孔５ｈ、５ｈ、５ｈ、５ｈ、５ｈが形成されている。前記ボルト孔５ｈ、５ｈ、５ｈ、５ｈ、５ｈは、隙間カバー基部５をコンクリート床７に固定するためのボルト１５を挿通し螺合させるための挿通孔である。
【００２７】
隙間カバー基部５の後延長部５ｃの右端部５ｇには、厚板１３が嵌め込まれ溶接されている。厚板１３は、隙間カバー基部５の後延長部５ｃの右端のコ字状の内方に溶接されている。略台形状で一方の角が丸みを帯びた形状に形成され、中央には隙間カバー蓋部６と接続させるためのネジを挿入するネジ孔１３ｂが設けられている。
【００２８】
また、隙間カバー基部５の前延長部５ａの右端部５ｆにも同様に、厚板１３ａが嵌めこまれ溶接されている。厚板１３ａは、厚板１３と左右対称の形状で、同様に中央部にはネジ孔１３ｃが設けられている。前後延長部５ａ、５ｃの各右端部５ｆ、５ｇは、溶接されている厚板１３、１３ａが、剥がれないようにコ字状の保持突条が内方に突出するように設けてある。
【００２９】
隙間カバー基部５は、溝形鋼を三方に溶接して形成されているので、内部は凹状の溝５ｉとなっている。即ち、前延長部５ａ、左側部５ｂ、後延長部５ｃのいずれをとっても縦断面形状が略コ字状となっている。
【００３０】
図１２は、隙間カバー基部５の右端部５ｆ及び右端部５ｇに嵌め込まれ溶接された厚板１３の斜視図である。図１２に示すように、厚板１３は、略台形状に形成されていて、２箇所のコーナは略９０°に形成されているが他の２箇所のコーナは丸く形成されている。厚板１３、１３ａの中央部にはネジ孔１３ｂが設けられている。ネジ孔１３ｂの内部には、ネジ山１３ｄが形成されている。
【００３１】
図１３から図１７は、本発明である隙間カバー４を構成する隙間カバー蓋部６を示した図である。図１３は隙間カバー蓋部の斜視図、図１４は隙間カバー蓋部の左側面図、図１５は隙間カバー蓋部の右側面図、図１６は隙間カバー蓋部の図１５中に示したＢ−Ｂ線に沿った断面図、図１７は隙間カバー蓋部の図１５中に沿ったＣ−Ｃ線に沿った断面図をそれぞれ示す。
【００３２】
図１３に示すように、隙間カバー蓋部６は、右側部６ｂと前延長部６ａと後延長部６ｃとからなり、隙間カバー基部５の右端部５ｆ、５ｇに取り付けて蓋をするためのものである。隙間カバー蓋部６も隙間カバー基部５と同様に溝形鋼を溶接して、左方が空いた状態の略コ字状に形成されている。
【００３３】
図１３及び図１４に示すように、隙間カバー蓋部６は、隙間カバー基部５とは違い、前延長部６ａ及び後延長部６ｃが右側部６ｂよりも短く形成され、左端部６ｆ、６ｇには、それぞれ中央にネジ孔１３ｂ、１３ｃの設けられた厚板１３、１３ａが嵌めこまれ溶接されている。前後延長部６ａ、６ｃの各左端部６ｆ、６ｇは、溶接されている厚板１３、１３ａが、剥がれないようにコ字状の内方に突出する保持突条が設けてある。また、内方に突出する上板６ｄ及び下板６ｅを設けているため凹状の溝６ｉが形成されている。前延長部６ａ、右側部６ｂ及び後延長部６ｃは、縦断面形状が略コの字状である。
【００３４】
図１５、図１６及び図１７に示すように、隙間カバー蓋部６内部には、右側部６ｂに密着するように厚板１４が溶接されている。厚板１４には、右側部６ｂの表面から厚板を貫通して、右側部６ｂの表面に設けられた益用孔６ｈから内部に行くにつれて径が小さくなるテーパー状のテーパー孔１４ａが設けられている。
【００３５】
テーパー孔１４ａは、隙間カバー蓋部６の左端部６ｆ、６ｇに取り付けられた厚板１３、１３ａのネジ孔１３ｂ、１３ｃの延長線上に設けられている。また、テーパー孔１４ａの径は、ネジ孔１３ｂ、１３ｃに挿通するネジ１２の径よりも広く形成されている。
【００３６】
テーパー孔１４ａは、隙間カバー基部５と隙間カバー蓋部６を接続する際に、ネジ１２を外部から締めることができるように設けられたものである。隙間カバー基部５と隙間カバー蓋部６をネジ１２を締め付け接続後には、図１９に示すように、テーパー孔１４ａにテーパー状のテーパー蓋８を打ち込み蓋をする。
【００３７】
図１８は、本発明である脚付き耐火金庫の盗難防止装置の隙間カバーを床に固定した状態を示す拡大断面図である。隙間カバー４を脚付き耐火金庫２の下部に取り付ける手順は、脚付き耐火金庫２を床に固定後、隙間カバー基部５を所定の位置に置き、隙間カバー基部５の下板５ｅに設けられたボルト孔５ｈの位置のコンクリート床７にコンクリートドリル等を使用して穴を開け、ボルトインアンカー１０を取り付ける。
【００３８】
ボルトインアンカー１０と隙間カバー基部５のボルト孔５ｈの位置が合致するように隙間カバー４を置き、ボルト１５をスプリングワッシャ１５ａ、テーパーワッシャー１５ｂ、隙間カバー基部５のボルト孔５ｈ、ボルトインアンカー１０と挿入し締め付け固定する。
【００３９】
ここで、テーパーワッシャー１５ａを使用するのは、隙間カバー基部５を構成する溝形鋼は内部が傾斜しているため、ボルトインアンカー１０にボルト１５を挿入してもボルト１５と隙間カバー基部５の下板５ｅに隙間２ｉができずにしっかりと締め付けることができるようにするためである。
【００４０】
図１９は、本発明である脚付き耐火金庫の盗難防止装置の隙間カバー基部と隙間カバー蓋部の接続部の拡大断面図である。図１８に示した隙間カバー基部５を床７に固定した後、隙間カバー基部５の右端部５ｆ及び右端部５ｇに隙間カバー蓋部６の左端部６ｆ、６ｇが密接するようにして隙間カバー蓋部６を置く。
【００４１】
そして、隙間カバー蓋部６の右側部６ｂに設けられた益用孔６ｈからネジ１２を挿入し、隙間カバー蓋部６の左端部６ｇに取り付けられた厚板１３ａのネジ孔１３ｃ、隙間カバー基部５の右端部５ｇに取り付けられた厚板１３のネジ孔１３ｂにネジ１２を挿通し締め付ける。
【００４２】
同様にして、益用孔６ｈからネジ１２を挿入し、隙間カバー蓋部６の左端部６ｆに取り付けられた厚板１３のネジ孔１３ｂ、隙間カバー基部５の右端部５ｆに取り付けられた厚板１３ａのネジ孔１３ｃにネジ１２を挿通し締め付けることで、隙間カバー基部５と隙間カバー蓋部６が接続される。
【００４３】
隙間カバー基部５と隙間カバー蓋部６の接続後は、厚板１４に設けられたテーパー孔１４ａにテーパー状のテーパー蓋８をハンマー等を使用して打ち込み、蓋をする。テーパー蓋８でテーパー孔１４ａに蓋をするのは、容易に隙間カバー４を外せないようにするためである。
【００４４】
図２０から図２６は、本発明である脚付き耐火金庫の盗難防止装置の第２実施例を示す図である。図２０は、本発明である脚付き耐火金庫の盗難防止装置の第２実施例の縦断面図である。図２０に示したように、本発明である脚付き耐火金庫の盗難防止装置の第２実施例は、木造の床に設置して使用する場合である。
【００４５】
本発明である脚付き耐火金庫の盗難防止装置の第２実施例１ａは、脚付き耐火金庫２及び隙間カバー４を木造床１８に固定し使用する。木造床１８に固定する場合には、図１９までに示した固定方法であるボルトインアンカー１０を用いることは不可能であるため、ぶらくりボルト１６を用いて固定する。尚、本第２実施例は、固定部材をぶらくりボルト１６に変更する以外は第１実施例の同様の構造である。
【００４６】
図２１は本発明である脚付き耐火金庫の盗難防止装置の第２実施例に使用するぶらくりボルトの正面図、図２２はぶらくりボルトの右側面図、図２３はぶらくりボルトの使用状態を示す正面図である。
【００４７】
本第２実施例の固定部剤として使用するぶらくりボルト１６は、図２１から図２３に示したように、ボルト部１６ａ、固定バー部１６ｂ、ひも１６ｃ、スプリングピン１６ｆにより構成されている。
【００４８】
ぶらくりボルト１６の構成部材であるボルト部１６ａは、寸切りボルトを利用しているため、ネジ山１６ｄが設けられている。固定バー部１６ｂは、切り込みの入った円柱状の形状をしている。
【００４９】
正面から背面にかけて貫通孔１６ｅが設けられている。ボルト部１６ａと固定バー部１６ｂは、前記貫通孔１６ｅにスプリングピン１６ｆを挿入することで接続されている。
【００５０】
固定バー部１６ｂの先端には、右側面から左側面にかけて貫通するようにひも用孔１６ｇが設けられていて、ひも用孔１６ｇには長いひも１６ｃが取り付けられている。
【００５１】
図２３に示すように、ぶらくりボルト１６の特徴は、ひも１６ｃを引っ張ることで、スプリングピン１６ｆを中心として固定バー部１６ｂが９０度回転して、ボルト部１６ａと垂直になるように回転移動することである。このように、固定バー部１６ｂをボルト部１６ａと垂直にすることで固定することができる。
【００５２】
図２４及び図２５は、本発明である脚付き耐火金庫の盗難防止装置の第２実施例での脚付き耐火金庫の固定方法を示す拡大断面図である。本第２実施例では、脚付き耐火金庫２と木造の床である木造床１８の固定部材としてぶらくりボルト１６を使用する。
【００５３】
本発明である脚付き耐火金庫の盗難防止装置の第２実施例では、脚付き耐火金庫２を木造床１８に固定する場合、脚付き耐火金庫２の底板２ｆに設けられたボルト挿通孔２ｈにぶらくりボルト１６を挿入する。
【００５４】
この時、図２４に示すようにぶらくりボルト１６は、固定バー部１６ｂがボルト部１６ａに対して並行のままであり、固定バー部１６ｂの先端に取り付けられたひも１６ｃの先端は、ボルト挿通孔２ｈから上に出るようにしておく。
【００５５】
ボルト挿通孔２ｈに挿入したぶらくりボルト１６には、保護カラー１７ｃを通し、木造床１８のボルト孔１８ａに、固定バー部１６ｂが木造床１８の床下になる所まで挿入する。
【００５６】
木造床１８のボルト孔１８ａまで挿入されたぶらくりボルト１６は、ひも１６ｃを引き上げると、スプリングピン１６ｆを中心として固定バー部１６ｂが９０度回転し、ボルト部１６ａと垂直となる。即ち木造床１８のボルト孔１８ａを塞ぐ形で、床下に固定されるのである。
【００５７】
固定バー部１６ｂを回転移動させ、床下に固定した後に、ぶらくりボルト１６の底板２ｆから出ている部分のボルト部１６ａに平ワッシャー１７ｂ、スプリングワッシャー１７ａを嵌め込み、最後にナット１７で締め付け固定する。
【００５８】
このようにして脚付き耐火金庫２の底板２ｆに設けられた４個所のボルト挿通孔２ｈ全てに部落ボルト１６を固定することで、脚付き耐火金庫２は木造床１８に固定される。
【００５９】
図２６は、本発明である脚付き耐火金庫の盗難防止装置の第２実施例での隙間カバーの固定方法を示す拡大断面図である。本第２実施例では、隙間カバー基部５の固定にもぶらくりボルト１６を使用し固定する。
【００６０】
隙間カバー基部５を木造床１８に固定する時の固定方法も図２４及び図２５で説明した脚付き耐火金庫２を固定するときと同様に、ぶらくりボルト１６を隙間カバー基部のボルト孔５ｈから木造床１８のボルト孔１８ａに挿入し、固定バー部１６ｂが床下になるまで挿入する。
【００６１】
ぶらくりボルト１６を挿入後、固定バー部１６ｂのひも用孔１６ｇから取り付けられ、ボルト孔５ｈから上に出ているひも１６ｃを引き上げると、固定バー部１６ｂが９０度回転し、木造床１８の床下に固定される。
【００６２】
固定バー部１６ｂを床下に固定した後、ボルト孔５ｈから上に出ているぶらくりボルト１６のボルト部１６ａにテーパーワッシャー１７ｄ、スプリングワッシャー１７ａを嵌め、最後にナット１７で締め付け固定する。このようにして、隙間カバー基部５に設けられた全てのボルト孔５ｈ、５ｈ、５ｈ・・・にぶらくりボルト１６を用いて隙間カバー基部５を木造床１８に固定する。
【００６３】
図２７から図３０は、本発明である脚付き耐火金庫の盗難防止装置の第３実施例を示す図である。本第３実施例では、脚付き耐火金庫の固定方法に固定ボルト１９を使用することを特徴とした。
【００６４】
図２７は本発明である脚付き耐火金庫の盗難防止装置の第３実施例の固定方法を示した図、図２８は第３実施例の固定方法に使用する固定部材を示した図、図２９は第３実施例の固定方法に使用する固定ボルトの左側面図、図３０は固定ボルトの断面図を示した図である。
【００６５】
図２７及び図２８に示すように、本発明の第３実施例では、脚付き耐火金庫２をコンクリート床７に固定する方法として、ボルト９、スプリングワッシャー９ａ、平ワッシャー９ｂ、固定ボルト１９及びボルトインアンカー１０の固定部材を使用する。
【００６６】
固定方法は、まず、第１実施例と同様に脚付き耐火金庫２のボルト挿通孔２ｈの位置のコンクリート床７に穴を開け、ボルトインアンカー１０を取り付けておく。次に、固定ボルト１９の寸切りボルト１９ｅをボルトインアンカー１０に挿入し、スパナを用いて固定ボルト１９をボルトインアンカー１０に締め付け固定する。
【００６７】
ボルトインアンカー１０に固定された固定ボルト１９に、脚付き耐火金庫２のボルト挿通孔２ｈが位置するように脚付き耐火金庫２を設置し、スプリングワッシャー９ａ及び平ワッシャー９ｂを挿入したボルト９をボルト挿通孔２ｈから固定ボルト１９に挿入し、締め付けることで、脚付き耐火金庫２をコンクリート床７へ固定することができる。
【００６８】
本第３実施例に使用する固定ボルト１９は、筒体１９ａと寸切りボルト１９ｅからなる。筒体１９ａは円筒状の形状をしており、内部の壁面はボルト９及び寸切りボルト１９ｅと同じ規格のネジ山１９ｂが形成されている。
【００６９】
筒体１９ａの下部には寸切りボルト１９ｅがネジ山により嵌設されており、さらに筒体１９ａと寸切りボルト１９ｅは、スプリングピン１９ｆで固定されている。
【００７０】
また、筒体１９ａの表面には、左右にスパナ溝１９ｃ、１９ｄが設けられている。固定ボルト１９をボルトインアンカー１０に固定する際には、固定ボルト１９下部に取り付けられた寸切りボルト１９ｅをボルトインアンカー１０に挿入し、前記スパナ溝１９ｃ、１９ｄにスパナを当て、締め付けることができる。
【００７１】
本発明の第３実施例の固定方法は、脚付き耐火金庫２の下部が引き出し等になっている為に長いボルトを使用することができない場合等に、短いボルトでもしっかりと脚付き耐火金庫２とコンクリート床７とを固定する為に使用する。
【００７２】
【発明の効果】
本発明は、以上に説明したような構成であるから、以下の効果が得られる。第１に、脚付き耐火金庫を床に固定し、固定部分が表から見えないように隙間カバーが取り付けられているため、外部から固定金具を切断することができない。
【００７３】
第２に、万が一盗難目的の侵入者があっても、容易に隙間カバーを外すことができないので、脚付き耐火金庫そのものを移動することが困難であるため、未然に盗難を防ぐことができる。
【００７４】
第３に、隙間カバーを外しても、脚付き耐火金庫と床を固定しているボルトに円筒状の保護カラーが取り付けられているため、ボルトを切断することは困難である。
【００７５】
第４に、本発明である脚付き耐火金庫の盗難防止装置は、コンクリート床のみでなく木造床にも使用することができるので、会社事務所等はもとより、一般家庭にも用いることができる。
【図面の簡単な説明】
【図１】本発明である脚付き耐火金庫の盗難防止装置の第１実施例の正面図である。
【図２】本発明である脚付き耐火金庫の盗難防止装置の第１実施例の左側面図である。
【図３】本発明である脚付き耐火金庫の盗難防止装置の第１実施例の右側面図である。
【図４】本発明である脚付き耐火金庫の盗難防止装置の第１実施例の背面図である。
【図５】本発明である脚付き耐火金庫の盗難防止装置の第１実施例の図１中に示したＡ−Ａ線に沿った縦断面図である。
【図６】本発明である脚付き耐火金庫の下部斜視図である。
【図７】本発明である脚付き耐火金庫の固定方法を示す斜視図である。
【図８】本発明である脚付き耐火金庫の固定部分の拡大断面図である。
【図９】本発明である脚付き耐火金庫の盗難防止装置の第１実施例の隙間カバーの斜視図である。
【図１０】本発明である脚付き耐火金庫の盗難防止装置の第１実施例の隙間カバー基部の斜視図である。
【図１１】本発明である脚付き耐火金庫の盗難防止装置の第１実施例の隙間カバー基部の右側面図である。
【図１２】本発明である脚付き耐火金庫の盗難防止装置の第１実施例の隙間カバーに取り付ける厚板の斜視図である。
【図１３】本発明である脚付き耐火金庫の盗難防止装置の第１実施例の隙間カバー蓋部の斜視図である。
【図１４】本発明である脚付き耐火金庫の盗難防止装置の第１実施例の隙間カバー蓋部の左側面図である。
【図１５】本発明である脚付き耐火金庫の盗難防止装置の第１実施例の隙間カバー蓋部の右側面図である。
【図１６】本発明である脚付き耐火金庫の盗難防止装置の第１実施例の隙間カバー蓋部の図１５中に示したＢ−Ｂ線に沿った縦断面図である。
【図１７】本発明である脚付き耐火金庫の盗難防止装置の第１実施例の隙間カバー蓋部の図１５中に示したＣ−Ｃ線に沿った縦断面図である。
【図１８】本発明である脚付き耐火金庫の盗難防止装置の第１実施例の隙間カバーを床に固定した状態を示す拡大断面図である。
【図１９】本発明である脚付き耐火金庫の盗難防止装置の第１実施例の隙間カバー基部と隙間カバー蓋部の接続部の拡大断面図である。
【図２０】本発明である脚付き耐火金庫の盗難防止装置の第２実施例を示す断面図である。
【図２１】本発明である脚付き耐火金庫の盗難防止装置の第２実施例に使用するぶらくりボルトの正面図である。
【図２２】本発明である脚付き耐火金庫の盗難防止装置の第２実施例に使用するぶらくりボルトの右側面図である。
【図２３】本発明である脚付き耐火金庫の盗難防止装置の第２実施例に使用するぶらくりボルトの使用状態を示す正面図である。
【図２４】本発明である脚付き耐火金庫の盗難防止装置の第２実施例の脚付き耐火金庫の固定方法を示す拡大断面図である。
【図２５】本発明である脚付き耐火金庫の盗難防止措置の第２実施例の脚付き耐火金庫の固定方法を示す拡大断面図である。
【図２６】本発明である脚付き耐火金庫の盗難防止装置の第２実施例の隙間カバーを床に固定した状態を示す拡大断面図である。
【図２７】本発明である脚付き耐火金庫の盗難防止装置の第３実施例の固定方法を示す拡大断面図である。
【図２８】本発明である脚付き耐火金庫の盗難防止装置の第３実施例に使用する固定部材を示す正面図である。
【図２９】本発明である脚付き耐火金庫の盗難防止装置の第３実施例に使用する固定ボルトの左側面図である。
【図３０】本発明である脚付き耐火禁固の盗難防止装置の第３実施例に使用する固定ボルトの縦断面図である。
【符号の説明】
１、１ａ      脚付き耐火金庫の盗難防止装置
２            脚付き耐火金庫
２ａ          枠体
２ｂ          扉
２ｃ          左側板
２ｄ          右側板
２ｅ          背面板
２ｆ          底板
２ｇ          キャスター付脚
２ｈ          ボルト挿通孔
２ｉ          隙間
３            施錠板
３ａ、３ｂ    ダイヤル
４            隙間カバー
５            隙間カバー基部
５ａ          前延長部
５ｂ          左側部
５ｃ          後延長部
５ｄ          上板
５ｅ          下板
５ｆ          右端部
５ｇ          右端部
５ｈ          ボルト孔
５ｉ          溝
６            隙間カバー蓋部
６ａ          前延長部
６ｂ          右側部
６ｃ          後延長部
６ｄ          上板
６ｅ          下板
６ｆ          左端部
６ｇ          左端部
６ｈ          益用孔
６ｉ          溝
７            コンクリート床
８            テーパー蓋
９            ボルト
９ａ          スプリングワッシャー
９ｂ          平ワッシャー
９ｃ          保護カラー
９ｄ          ネジ山
１０          ボルトインアンカー
１１          耐火ボンド
１２          ネジ
１２ａ        平ワッシャー
１３、１３ａ  厚板
１３ｂ                ネジ孔
１３ｃ        ネジ孔
１３ｄ        ネジ山
１４          厚板
１４ａ        テーパー孔
１５          ボルト
１５ａ        スプリングワッシャー
１５ｂ        テーパーワッシャー
１６          ぶらくりボルト
１６ａ        ボルト部
１６ｂ        固定バー部
１６ｃ        ひも
１６ｄ        ネジ山
１６ｅ        貫通孔
１６ｆ        スプリングピン
１６ｇ        ひも用孔
１７          ナット
１７ａ        スプリングワッシャー
１７ｂ        平ワッシャー
１７ｃ        保護カラー
１７ｄ        テーパーワッシャー
１８          木造床
１８ａ        ボルト孔
１９          固定ボルト
１９ａ        筒体
１９ｂ        ネジ山
１９ｃ        スパナ溝
１９ｄ        スパナ溝
１９ｅ        寸切りボルト
１９ｆ        スプリングピン
【図１】
2004190250.tif 000003
【図２】
2004190250.tif 000004
【図３】
2004190250.tif 000005
【図４】
2004190250.tif 000006
【図５】
2004190250.tif 000007
【図６】
2004190250.tif 000008
【図７】
2004190250.tif 000009
【図８】
2004190250.tif 000010
【図９】
2004190250.tif 000011
【図１０】
2004190250.tif 000012
【図１１】
2004190250.tif 000013
【図１２】
2004190250.tif 000014
【図１３】
2004190250.tif 000015
【図１４】
2004190250.tif 000016
【図１５】
2004190250.tif 000017
【図１６】
2004190250.tif 000018
【図１７】
2004190250.tif 000019
【図１８】
2004190250.tif 000020
【図１９】
2004190250.tif 000021
【図２０】
2004190250.tif 000022
【図２１】
2004190250.tif 000023
【図２２】
2004190250.tif 000024
【図２３】
2004190250.tif 000025
【図２４】
2004190250.tif 000026
【図２５】
2004190250.tif 000027
【図２６】
2004190250.tif 000028
【図２７】
2004190250.tif 000029
【図２８】
2004190250.tif 000030
【図２９】
2004190250.tif 000031
【図３０】
2004190250.tif 000032